(57)【要約】【課題】  個人情報記載面が簡単に露出せず、個人情報の保護が可能なトランクタグを提供することにある。【解決手段】  スーツケースなどの旅行鞄に、繋止部材を介して繋ぎ止めることにより持ち主の名前等を掲示するためのトランクタグにおいて、個人情報記載面を有する薄板状のトランクタグ本体と、トランクタグ本体に対し揺動し個人情報記載面を被覆可能に設けられた薄板状のカバー部と、カバー部をトランクタグ本体の個人情報記載面を覆う方向に付勢する付勢手段とを備えることを特徴とする。【選択図】図１
2011085719.tif 000002
【特許請求の範囲】
【請求項１】
スーツケースなどの旅行鞄に、繋止部材を介して繋ぎ止めることにより持ち主の名前等を掲示するためのトランクタグにおいて、
個人情報記載面を有する薄板状のトランクタグ本体と、
該トランクタグ本体に対し揺動し該個人情報記載面を被覆可能に設けられた薄板状のカバー部と、
該カバー部を、該トランクタグ本体の個人情報記載面を覆う方向に付勢する付勢手段とを備えることを特徴とするトランクタグ。
【請求項２】
前記カバー部が前記トランクタグ本体の個人情報記載面を覆った状態で、該カバー部及び該トランクタグ本体とを貫通する貫通穴が穿設され、
該貫通穴に貫入して該トランクタグ本体と該カバー部とを結束する紐材を備え、
該紐材が、前記繋止部材及び前記付勢手段であることを特徴とする請求項１記載のトランクタグ。
【請求項３】
前記付勢手段として、前記トランクタグ本体と前記カバー部とに一体で貫着されたハトメを備えることを特徴とする請求項１記載のトランクタグ。
【請求項４】
前記トランクタグ本体又は前記カバー部のいずれかに切り込みにより突出可能に設けられた鍔部を有し、
該鍔部を有するのとは反対側の該トランクタグ本体又は該カバー部に、該鍔部を挿貫可能な切り込み状の溝部を有し、
該鍔部が該溝部に係入することにより該カバー部が該トランクタグ本体の個人情報記載面を覆う状態に保持されることを特徴とする請求項１〜請求項３のいずれかに記載のトランクタグ。
【発明の詳細な説明】
【技術分野】
【０００１】
本発明は、スーツケースなどの旅行鞄に繋ぎ止めて持ち主の名前等を掲示するトランクタグに関する。
【背景技術】
【０００２】
従来より、スーツケースなどの旅行鞄に繋ぎ止めて持ち主の名前等を掲示する物として、トランクタグが用いられている。従来のトランクタグは、例えば、図６の従来のトランクタグの一例を示す斜視図に示すように、トランクタグ４０の薄板状のトランクタグ本体４２の表面が、個人情報記載面４２ａとなっており、その個人情報記載面４２ａに住所や氏名等を記載可能になっている。トランクタグ本体４０には、スーツケースなどの旅行鞄に繋ぎ止めるための紐４４が、設けられている。
【０００３】
また、特許文献１に示されるように、タグラベルを荷物に固定するためのタグラベル貼付用荷札台紙であって、タグラベルより大き目のタグラベル貼付部と、タグラベル貼付部の延長上にあってタグラベル貼付用荷札台紙を荷物に固定するめの帯部からなるものもある。そして、タグラベルの表出部に送付先情報等の個人情報が記載されている。
【先行技術文献】
【特許文献】
【０００４】
【特許文献１】特開２００７−１４７９４２号公報
【発明の概要】
【発明が解決しようとする課題】
【０００５】
しかしながら、従来のトランクタグでは、個人情報記載面が常時露出していることから、旅行者の個人情報を第三者がトランクタグから容易に窺い知ることができ、その読み取られて流出した個人情報が悪用され可能性がる。
【０００６】
本発明は、このような事情に鑑みてなされたもので、個人情報記載面が簡単に露出せず、個人情報の保護が可能なトランクタグを提供することにある。
【課題を解決するための手段】
【０００７】
請求項１記載のトランクタグは、個人情報記載面を有する薄板状のトランクタグ本体と、トランクタグ本体に対し揺動し個人情報記載面を被覆可能に設けられた薄板状のカバー部と、カバー部をトランクタグ本体の個人情報記載面を覆う方向に付勢する付勢手段とを備えることを特徴とする。
【０００８】
請求項２記載のトランクタグは、カバー部がトランクタグ本体の個人情報記載面を覆った状態で、カバー部及びトランクタグ本体とを貫通する貫通穴が穿設され、貫通穴に貫入してトランクタグ本体とカバー部とを結束する紐材を備え、紐材が、繋止部材及び付勢手段であることを特徴とする。
【０００９】
請求項３記載のトランクタグは、付勢手段として、トランクタグ本体とカバー部とに一体で貫着されたハトメを備えることを特徴とする。
【００１０】
請求項４載のトランクタグは、トランクタグ本体又はカバー部のいずれかに切り込みにより突出可能に設けられた鍔部を有し、鍔部を有するのとは反対側のトランクタグ本体又はカバー部に、鍔部を挿貫可能な切り込み状の溝部を有し、鍔部が溝部に係入することによりカバー部がトランクタグ本体の個人情報記載面を覆う状態に保持されることを特徴とする。
【発明の効果】
【００１１】
請求項１の発明によれば、トランクタグ本体に対し揺動し個人情報記載面を被覆可能に設けられた薄板状のカバー部と、カバー部を、トランクタグ本体の個人情報記載面を覆う方向に付勢する付勢手段とを備えることから、個人情報記載面が簡単に露出せず、個人情報の保護が可能である。
【００１２】
請求項２の発明によれば、貫通穴に貫入してトランクタグ本体とカバー部とを結束する紐材が、繋止部材及び付勢手段であることから、コストを抑えることができる。
【００１３】
請求項３の発明によれば、付勢手段として、トランクタグ本体とカバー部とに一体で貫着されたハトメを備えることから、個人情報記載面をより確実に覆うことができ、個人情報の保護が容易である。
【００１４】
請求項４の発明によれば、鍔部が溝部に係入することによりカバー部がトランクタグ本体の個人情報記載面を覆う状態に保持されることから、簡単に個人情報記載面が露出しにくく、個人情報の保護が図られる。
【図面の簡単な説明】
【００１５】
【図１】本発明に係るトランクタグの一例を示す斜視図である。
【図２】同トランクタグの上面図及び底面図である。
【図３】同トランクタグの縦断面図である。
【図４】本発明に係るトランクタグの他の例を示す説明図である。
【図５】本発明に係るトランクタグのさらに他の例を示す斜視図である。
【図６】従来のトランクタグの一例を示す斜視図である。
【発明を実施するための形態】
【００１６】
以下、本発明の形態について図面を参照しながら具体的に説明する。図１は、本発明に係るトランクタグの一例を示す斜視図である。図２は、同トランクタグの上面図及び底面図である。図３は、同トランクタグの縦断面図である。
【００１７】
図１〜図３で、本発明の形態におけるトランクタグ１は、トランクタグ本体１０、カバー部２０及びゴム紐６から構成されている。トランクタグ本体１０とカバー部２０とは、１枚の長方形で薄板状の紙材を２つに折り曲げたもので、トランクタグ本体１０の上に、カバー部２０が折り重なるような構造になっている。トランクタグ本体１０のカバー部２０側の面は、住所や氏名等を記載する個人情報記載面１０ａとなっている。すなわち、カバー部２０が、トランクタグ本体１０に対し揺動し、個人情報記載面１０ａを被覆可能に設けられている。尚、個人情報記載面１０ａは、住所等を記載しやすいように罫線等が予め印刷されており、使用者がその罫線等に沿って住所等を記入する。
【００１８】
トランクタグ本体１０とカバー部２０とには、カバー部２０がトランクタグ本体１０の個人情報記載面１０ａを覆った状態で、カバー部２０及びトランクタグ本体１０とを貫通する貫通穴１２，２２が、トランクタグ本体１０とカバー部２０との折り曲げ側に穿設されている。また、紐材であるゴム紐６が、貫通穴１２，２２に貫入してトランクタグ本体１０とカバー部２０とを結束している。このゴム紐６は、スーツケースなどの旅行鞄の取手に、トランクタグ１を繋ぎ止めるための繋止部材であり、同時に、カバー部２０をトランクタグ本体１０の個人情報記載面１０ａを覆う方向に付勢する付勢手段となっている。尚、本実施の形態では、伸縮性のある紐であるゴム製の紐材であるゴム紐６を用いているが、必ずしも伸縮性を必要とするものではない。
【００１９】
カバー部２０の貫通穴２２とは反対の辺の付近には、切り込みにより突出可能に設けられた鍔部２４を有している。また、トランクタグ本体１０のカバー部２０の鍔部２４と同様な位置には、鍔部２４を挿貫可能な切り込み状の溝部１４を有している。そして、図３（ａ）に示すように、鍔部２４をトランクタグ本体１０方向に突出させつつカバー部２０をトランクタグ本体１０方向に揺動させる。そして、図３（ｂ）に示すように、鍔部２４を溝部１４に挿貫させて鍔部２４が溝部１４に係入することにより、カバー部２０がトランクタグ本体１０の個人情報記載面１０ａを覆う状態に保持されることになる。個人情報記載面１０ａを見たい場合には、カバー部２０をトランクタグ本体１０からめくるようにすれば、容易に係止が解除され、個人情報記載面１０ａが露出することになる。尚、本実施の形態では、鍔部２４をカバー部２０に設け、溝部１４をトランクタグ本体１０に設けたが、鍔部と溝部を設ける側を逆にしてもよい。
【００２０】
以上のように、本実施の形態のトランクタグ１によれば、個人情報記載面１０ａが簡単に露出せず、個人情報の保護が可能である。また、貫通穴１２，２２に貫入してトランクタグ本体１０とカバー部２０とを結束する紐材であるゴム紐６が、繋止部材及び付勢手段であることから、コストを抑えることができる。さらに、鍔部２４が溝部１４に係入することによりカバー部２０がトランクタグ本体１０の個人情報記載面１０ａを覆う状態に保持されることから、簡単に個人情報記載面１０ａが露出しにくく、個人情報の保護が図られる。
【００２１】
尚、上述のトランクタグ１では、付勢手段としてゴム紐６を用いているが、図４の本発明に係るトランクタグの他の例を示す説明図にあるトランクタグ２では、トランクタグ１の貫通穴１２，２２の部分に、トランクタグ本体１０とカバー部２０とに一体で貫着されたハトメ３０を備え、このハトメ３０が付勢手段とするようにしている。そして、ハトメ３０の中心の穴にゴム紐６を挿貫させている。付勢手段として、トランクタグ本体１０とカバー部２０とに一体で貫着されたハトメ３０を用いることで、個人情報記載面１０ａをより確実に覆うことができ、個人情報の保護が容易である。
【００２２】
尚、ハトメ３０を用いたトランクタグ２の場合、繋止部材としてゴム紐６を用いずに、図５の本発明に係るトランクタグのさらに他の例を示す斜視図にあるトランクタグ３のように、細巾状の帯部３４にすることも可能である。このように、繋止部材は紐材でも帯材でもよく、その形態により限られるものではない。
【００２３】
尚、トランクタグ本体１０とカバー部２０とが一体である構造で説明したが、一体である場合に限られず、カバー部２０がトランクタグ本体１０に対し揺動し個人情報記載面１０ａを被覆可能な構造であればよい。
【産業上の利用可能性】
【００２４】
以上のように、個人情報記載面が簡単に露出せず、個人情報の保護が可能なトランクタグを提供することができる。
【符号の説明】
【００２５】
１・・・・・トランクタグ
２・・・・・トランクタグ
３・・・・・トランクタグ
６・・・・・ゴム紐
１０・・・・トランクタグ本体
１０ａ・・・個人情報記載面
１２・・・・貫通穴
１４・・・・溝部
２０・・・・カバー部
２２・・・・貫通穴
２４・・・・鍔部
３０・・・・ハトメ
３４・・・・帯部
【図１】
2011085719.tif 000003
【図２】
2011085719.tif 000004
【図３】
2011085719.tif 000005
【図４】
2011085719.tif 000006
【図５】
2011085719.tif 000007
【図６】
2011085719.tif 000008